(57)【要約】【課題】アップストリーム信号のスカート現象によるダウンストリーム信号への干渉を低減し、ＡＤＳＬ通信で遠距離通信を可能にすること。【解決手段】センター側において、ハンドシェイク手順が開始されると予め通信規格で定められた指定キャリアを使用してダウンストリームの信号を送信し、指定キャリアを使用した信号送信では相手ＡＤＳＬモデム装置と回線接続できなかった場合はアップストリームの使用キャリアに近接する指定キャリアに関しては高周波側にシフトした代替キャリアを使用してダウンストリームの信号を再送信する。また、リモート側において、ハンドシェイク手順が開始されるとダウンストリームから予め通信規格で定められた指定キャリアの信号を検出し、ハンドシェイク手順開始後の規定時間内に指定キャリアの信号を正常受信できなかった場合は送信側のキャリア変更に合わせて変更後の代替キャリアの信号を検出する。【選択図】　　　図４
2004072267.tif 000002
【特許請求の範囲】
【請求項１】
ハンドシェイク手順が開始されると予め通信規格で定められた指定キャリアを使用してダウンストリームの信号を送信する送信手段と、前記指定キャリアを使用した信号送信では相手ＡＤＳＬモデム装置と回線接続できなかった場合はアップストリームの使用キャリアに近接する指定キャリアに関しては高周波側にシフトした代替キャリアを使用してダウンストリームの信号を再送信する再送信手段と、を具備するＡＤＳＬモデム装置。
【請求項２】
前記再送信手段による代替キャリアを使用した信号送信によっても相手ＡＤＳＬモデム装置と回線接続できなかった場合は、ダウンストリームの信号をゲインアップすることを特徴とする請求項１記載のＡＤＳＬモデム装置。
【請求項３】
前記再送信手段は、キャリアインデックス＃１５からキャリアインデックス＃４０未満のキャリアインデックスのキャリアを前記代替キャリアとして使用することを特徴とする請求項１又は請求項２記載のＡＤＳＬモデム装置。
【請求項４】
前記再送信手段は、前記代替キャリアとしてキャリアインデックスが近接する複数のキャリアを選択することを特徴とする請求項１から請求項３のいずれかに記載のＡＤＳＬモデム装置。
【請求項５】
ハンドシェイク手順が開始されるとダウンストリームの受信信号から予め通信規格で定められた指定キャリアの信号を検出する受信手段と、ハンドシェイク手順開始後の規定時間内に指定キャリアの信号を正常受信できなかった場合は送信側のキャリア変更に合わせて変更後の代替キャリアの信号を検出する再受信手段と、を具備するＡＤＳＬモデム装置。
【請求項６】
前記再受信手段は、前記指定キャリア及び前記代替キャリアの双方について信号検出を試みることを特徴とする請求項５記載のＡＤＳＬモデム装置。
【請求項７】
ハンドシェイク手順においてアップストリームの信号から発生されるノイズを除去するフィルター特性を有するフィルター手段を備え、前記再受信手段は、ダウンストリームの受信信号を前記フィルター手段でフィルタリングしてから取り込むことを特徴とする請求項５又は請求項６記載のＡＤＳＬモデム装置。
【請求項８】
ハンドシェイク手順においてキャリアインデックス＃１５以上４０以下のキャリアを使用してダウンストリームの信号を受信するハンドシェイク通信手段と、前記ハンドシェイク手順実行後にイニシャライズ手順を実行するイニシャライズ通信手段と、前記イニシャライズ手順実行後にショータイム手順を実行するショータイム通信手段と、を具備するＡＤＳＬモデム装置。
【請求項９】
ダウンストリームの信号受信時にキャリアインデックス＃７、９に相当する周波数の信号を除去するフィルター手段を備えることを特徴とする請求項８記載のＡＤＳＬモデム装置。
【請求項１０】
ハンドシェイク手順においてキャリアインデックス＃１５以上４０以下のキャリアを使用してダウンストリームの信号を送信するハンドシェイク手順を実行するハンドシェイク通信手段と、前記ハンドシェイク手順実行後にイニシャライズ手順を実行するイニシャライズ通信手段と、前記イニシャライズ手順実行後にショータイム手順を実行するショータイム通信手段と、を具備するＡＤＳＬモデム装置。
【請求項１１】
ハンドシェイク手順が開始されると予め通信規格で定められた指定キャリアを使用してダウンストリームの信号を送信し、前記指定キャリアを使用した信号送信では相手ＡＤＳＬモデム装置と回線接続できなかった場合はアップストリームの使用キャリアに近接する指定キャリアに関しては高周波側にシフトした代替キャリアを使用してダウンストリームの信号を再送信することを特徴とする通信方法。
【請求項１２】
ハンドシェイク手順が開始されるとダウンストリームの受信信号から予め通信規格で定められた指定キャリアの信号を検出し、ハンドシェイク手順開始後の規定時間内に指定キャリアの信号を正常受信できなかった場合は送信側のキャリア変更に合わせて変更後の代替キャリアの信号を検出し、指定キャリア及び又は代替キャリアの信号を正常受信できれば後続の手順を実行し、正常受信できなければエラー終了することを特徴とする通信方法。
【発明の詳細な説明】
【０００１】
【発明の属する技術分野】
本発明は、ＩＴＵ−Ｔ勧告であるＧ．９９４．１（以下、Ｇ．ｈｓという）に規定されるＡＤＳＬ通信モデム装置及びその通信方法を改良したＡＤＳＬモデム装置及びその通信方法に関する。
【０００２】
【従来の技術】
ＡＤＳＬ通信規格であるＧ．ｈｓにはハンドシェイク手順が定められている。センター側装置がダウンストリームの信号をリモート側装置へ送信するともに、リモート側装置がアップストリームの信号をセンター側装置へ送信することにより、センター側装置とリモート側装置とで情報を交換するハンドシェイク手順を実行する。
【０００３】
Ｇ．ｈｓのＡｎｎｅｘＣにおいては、アップストリームにインデックス＃７，９のキャリアを使用し、ダウンストリームにインデックス＃１２，１４，６４のキャリアを使用している。これはＧ．ｈｓのＡｎｎｅｘＣは、そもそもＩＳＤＮのノイズの影響に耐えうるよう、ダウンストリームにおいてＩＳＮＤノイズが減衰する帯域に存在するキャリア周波数であるインデックス＃１２，１４を使ってハンドシェイク手順を実行するためである。図８は、その関係を示したものである。ＩＳＤＮから影響の小さい帯域にあるキャリアを選択していることがわかる。これらキャリアを使ってハンドシェイク手順を実行している。その後、イニシャライズ手順では、別のキャリアを選択し、データ通信であるショータイム手順を実行する。
【０００４】
【発明が解決しようとする課題】
しかしながら、インデックス＃７，９のキャリアと、インデックス＃１２，１４のキャリアとは互いの周波数間隔が狭く、リモート側装置とセンター側装置との通信距離が長くなると、アップストリーム側のキャリア（インデックス＃７，９）のスカート現象でダウンストリーム側のキャリア（インデックス＃１２，１４）をリモート側装置で受信するのが困難になる場合があった。
【０００５】
図９はリモート側装置でのスペクトラムを示す図である。同図に示すように、アップストリーム側のキャリア（インデックス＃７，９）のスカート現象でダウンストリーム側のキャリア（インデックス＃１２，１４）が埋もれてしまう。特に、リモート側装置とセンター側装置との通信距離が長くなると、ダウンストリーム側のキャリア（インデックス＃１２，１４）は減衰量が大きくなり、受信困難な状況が顕著になる。
【０００６】
本発明は以上のような実情に鑑みて成されたものであり、アップストリーム信号のスカート現象によるダウンストリーム信号への干渉を低減し、遠距離通信を可能にするＡＤＳＬモデム装置及びその通信方法を提供することを目的とする。
【０００７】
【課題を解決するための手段】
本発明は、センター側のＡＤＳＬモデム装置において、ハンドシェイク手順が開始されると予め通信規格で定められた指定キャリアを使用してダウンストリームの信号を送信する送信手段と、前記指定キャリアを使用した信号送信では相手ＡＤＳＬモデム装置と回線接続できなかった場合はアップストリームの使用キャリアに近接する指定キャリアに関しては高周波側にシフトした代替キャリアを使用してダウンストリームの信号を再送信する再送信手段と、を具備するものとした。
【０００８】
また、リモート側のＡＤＳＬモデム装置において、ハンドシェイク手順が開始されるとダウンストリームの受信信号から予め通信規格で定められた指定キャリアの信号を検出する受信手段と、ハンドシェイク手順開始後の規定時間内に指定キャリアの信号を正常受信できなかった場合は送信側のキャリア変更に合わせて変更後の代替キャリアの信号を検出する再受信手段と、を具備するものとした。
【０００９】
【発明の実施の形態】
本発明の第１の態様は、ハンドシェイク手順が開始されると予め通信規格で定められた指定キャリアを使用してダウンストリームの信号を送信する送信手段と、前記指定キャリアを使用した信号送信では相手ＡＤＳＬモデム装置と回線接続できなかった場合はアップストリームの使用キャリアに近接する指定キャリアに関しては高周波側にシフトした代替キャリアを使用してダウンストリームの信号を再送信する再送信手段と、を具備するＡＤＳＬモデム装置である。
【００１０】
このように構成されたＡＤＳＬモデム装置によれば、ＩＴＵ−Ｔ勧告で規定されているキャリアにて通信できない場合は、アップストリームで使用されるキャリアインデックス＃７，９の影響を受けずらい高周波側のキャリアにて通信を行うことができるので、遠距離通信を実現できる効果がある。
【００１１】
本発明の第２の態様は、第１の態様のＡＤＳＬモデム装置において、前記再送信手段による代替キャリアを使用した信号送信によっても相手ＡＤＳＬモデム装置と回線接続できなかった場合は、ダウンストリームの信号をゲインアップするものとした。
【００１２】
これにより、高周波側のキャリアにてリトライしても通信ができない場合は、送信キャリアをゲインアップしてリトライするので、遠距離通信で信号エネルギーの減衰が大きい場合でも、確実に信号を相手ＡＤＳＬモデム装置へ到達させることがきる。また、最初からゲインアップを行うのではなく、キャリアシフトしてもなお通信ができない場合にゲインアップするようにしたので、他の回線への影響を少なくすることができる。
【００１３】
本発明の第３の態様は、第１、又は第２の態様のＡＤＳＬモデム装置において、前記再送信手段は、キャリアインデックス＃１５からキャリアインデックス＃４０未満のキャリアインデックスのキャリアを前記代替キャリアとして使用するものとした。
【００１４】
これにより、ハンドシェイク手順では、アップストリームの使用キャリアがキャリアインデックス＃７、９である、ダウンストリームの使用キャリア（低周波側）がキャリアインデックス＃１２，１４であるので、キャリアインデックス＃１５からキャリアインデックス＃４０未満にすることで、キャリアインデックス＃７、９の影響を受けずらい高周波側のキャリアを選択できるとともに、減衰量の大きくなりすぎるのを防止することができる。
【００１５】
本発明の第４の態様は、第１、第２、第３のいずれかの態様のＡＤＳＬモデム装置において、前記再送信手段は、前記代替キャリアとしてキャリアインデックスが近接する複数のキャリアを選択するものとした。
【００１６】
これにより、ハンドシェイク手順では、高周波側キャリアとなるキャリアインデックス＃６４を変更することなく、低周波側キャリアであるキャリアインデックス＃１２，１４を高周波側へシフトすることができる。
【００１７】
本発明の第５の態様は、ハンドシェイク手順が開始されるとダウンストリームの受信信号から予め通信規格で定められた指定キャリアの信号を検出する受信手段と、ハンドシェイク手順開始後の規定時間内に指定キャリアの信号を正常受信できなかった場合は送信側のキャリア変更に合わせて変更後の代替キャリアの信号を検出する再受信手段と、を具備するＡＤＳＬモデム装置である。
【００１８】
このように構成されたＡＤＳＬモデム装置によれば、上記第１の態様のＡＤＳＬモデム装置がセンター側に設置されている場合、リモート側においてセンター側のキャリア変更に対応しながらハンドシェイク手順を実行できる。
【００１９】
本発明の第６の態様は、第５の態様のＡＤＳＬモデム装置において、前記再受信手段は、前記指定キャリア及び前記代替キャリアの双方について信号検出を試みるものとした。
【００２０】
これにより、メーカーコードの交換前で相手ＡＤＳＬモデム装置がキャリアシフトするか否かも判らない場合でも柔軟に対応することができる。
【００２１】
本発明の第７の態様は、第５、又は第６の態様のＡＤＳＬモデム装置において、ハンドシェイク手順においてアップストリームの信号から発生されるノイズを除去するフィルター特性を有するフィルター手段を備え、前記再受信手段は、ダウンストリームの受信信号を前記フィルター手段でフィルタリングしてから取り込むものとした。
【００２２】
標準の手順ではキャリアインデックス＃７，９に近接するキャリアインデックス＃１２，１４を使っており、フィルターを使用すると近接するこれらのキャリアに対しても除去する作用が働くため使用が困難であったが、代替キャリアはキャリアインデックス＃７，９から離されたためにフィルターを有効に活用することができるようになった。
【００２３】
本発明の第８の態様は、ハンドシェイク手順においてキャリアインデックス＃１５以上４０以下のキャリアを使用してダウンストリームの信号を受信するハンドシェイク通信手段と、前記ハンドシェイク手順実行後にイニシャライズ手順を実行するイニシャライズ通信手段と、前記イニシャライズ手順実行後にショータイム手順を実行するショータイム通信手段と、を具備するＡＤＳＬモデム装置である。
【００２４】
本発明の第９の態様は、第８の態様のＡＤＳＬモデム装置において、ダウンストリームの信号受信時にキャリアインデックス＃７、９に相当する周波数の信号を除去するフィルター手段を備えるものとした。
【００２５】
本発明の第１０の態様は、ハンドシェイク手順においてキャリアインデックス＃１５以上４０以下のキャリアを使用してダウンストリームの信号を送信するハンドシェイク手順を実行するハンドシェイク通信手段と、前記ハンドシェイク手順実行後にイニシャライズ手順を実行するイニシャライズ通信手段と、前記イニシャライズ手順実行後にショータイム手順を実行するショータイム通信手段と、を具備するＡＤＳＬモデム装置である。
【００２６】
本発明の第１１の態様は、ハンドシェイク手順が開始されると予め通信規格で定められた指定キャリアを使用してダウンストリームの信号を送信し、前記指定キャリアを使用した信号送信では相手ＡＤＳＬモデム装置と回線接続できなかった場合はアップストリームの使用キャリアに近接する指定キャリアに関しては高周波側にシフトした代替キャリアを使用してダウンストリームの信号を再送信することを特徴とする通信方法である。
【００２７】
本発明の第１２の態様は、ハンドシェイク手順が開始されるとダウンストリームの受信信号から予め通信規格で定められた指定キャリアの信号を検出し、ハンドシェイク手順開始後の規定時間内に指定キャリアの信号を正常受信できなかった場合は送信側のキャリア変更に合わせて変更後の代替キャリアの信号を検出し、指定キャリア及び又は代替キャリアの信号を正常受信できれば後続の手順を実行し、正常受信できなければエラー終了することを特徴とする通信方法である。
【００２８】
図１は、本発明が適用されるＨＳＴＵ−Ｒ側の通信システムの概略構成を示す図である。同図に示す通信システムは、公衆回線網又はこれと同等の回線網（以下、回線という）がスプリッタ１を介してＡＤＳＬモデム装置２に接続され、さらにＡＤＳＬモデム装置２にユーザ端末３が接続されている。なお、ユーザ端末３と電話機４とを１回線で利用する場合にはスプリッタ１が必要となるが、電話機４を使用しない形態であればスプリッタ１は必要ない。また、ユーザ端末３がＡＤＳＬモデム装置２を内蔵するように構成することも可能である。
【００２９】
ＡＤＳＬモデム装置２は、後述するハンドシェイク手順を実行するトランシーバ１１と、このトランシーバ１１を含む全体の動作を制御するホスト１２とを備えている。トランシーバ１１の回線側端部はアナログフロントエンド（以下、ＡＦＥという）を介してアナログ回路で構成されている。ＡＦＥ１３のＤＡ変換部に対してアナログフィルタ１４を介してドライバ１５が接続され、ドライバ１５で増幅されたアナログ信号がハイブリッド１６を介して回線へ送出されるように構成されている。また、回線から到来したアナログ信号はハイブリッド１６を介してレシーバ１７で受信されアナログフィルタ１８を介してＡＦＥ１３のＡＤ変換部に入力されるように構成されている。ＡＦＥ１３は、ＡＤ変換部から出力されるサンプリングデータをトランシーバ１１へ出力する。
【００３０】
図２はトランシーバ１１の機能ブロック図である。プロセッサ２０は、データ通信（ショータイム）が開始される前段で、ハンドシェイク手順、イニシャライズ手順を実行する機能を備える部分である。
【００３１】
トランシーバ１１の送信側は、エラーチェックのための冗長ビットを付加するリードソロモン符号化部２１、リードソロモン復号時のバーストエラーに対する訂正を可能とするためデータの並べ替えを行うインターリーブ部２２、トレリス符号化によるデータの畳み込みを行うトレリス符号化部２３、各キャリアに対するビット数の割付けを行うトーンオーダリング部２４、送信データの位相をコンステレーション座標上に割り付けるコンステレーション符号化部２５、コンステレーション符号化されたデータを逆高速フーリエ変換（以下、ＩＦＦＴという）するＩＦＦＴ部２６から構成されている。
【００３２】
トランシーバ１１の受信側は、受信信号のサンプリングデータを高速フーリエ変換（以下、ＦＦＴという）するＦＦＴ部２７、ＦＦＴ出力信号のコンステレーションからデータを復号し、かつコンステレーション座標上での位相を補正するコンステレーション復号化／ＦＥＱ部２８、送信側でトーンオーダリングされた各キャリアに割り付けられているデータを元に戻すトーンデオーダリング部２９、受信データをビタビ復号するビタビ復号化部３０、送信側で並べかえられたデータを元に戻すデインターリーブ部３１、送信側で付加された冗長ビットを削除するリードソロモン復号化部３２から構成されている。ＲＡＭ３３は、プロセッサ２０のワークエリアであり、ハンドシェイク手順、イニシャライズ手順の実行時に使用される。また、ＲＡＭ３３には、後述するキャリアテーブルが格納される。トランシーバ１１は、ホストインターフェース（Ｉ／Ｆ）３４を介してホスト１２と接続される。
【００３３】
上記ＡＤＳＬモデム装置２に対してメタリックケーブルを介してセンター側のＡＤＳＬモデム装置が接続される。センター側のＡＤＳＬモデム装置は、上記ＡＤＳＬモデム装置２と同様の構成を備えている。センター側は、通信事業者の設置した交換機である場合には、電話機４は存在しない。
【００３４】
次に以上のように構成された本実施の形態の動作について具体的に説明する。特に、ハンドシェイク手順を実行する際の動作について詳しく説明する。
【００３５】
図３（ａ）はＧ．ｈｓで規定されたリモート側から起動を掛ける場合のスタートアップ手順を示すシーケンス図である。同図に示すように、最初に、リモート側がインデックス＃７，９のキャリアを用いてＲ−ＴＯＮＥＳ−ＲＥＱをアップストリームに送信する。この信号は１６ｍｓ毎に位相を反転した信号である。
【００３６】
センター側は、信号周波数と位相反転の有無とからＧ．ｈｓの信号であると認識し、インデックス＃１２，１４，６４のキャリアを用いてＣ−ＴＯＮＥＳをダウンストリームに送出する。
【００３７】
リモート側は、Ｃ−ＴＯＮＥＳを受信して周波数ずれの調整やゲイン調整を行った後、インデックス＃７，９のキャリアを用いてＲ−ＴＯＮＥ１をアップストリームに送出する。
【００３８】
センター側は、Ｒ−ＴＯＮＥ１を受信して周波数ずれの調整やゲイン調整を行った後、インデックス＃１２，１４，６４のキャリアを用いてＣ−ＧＡＬＦ１をダウンストリームに送出する。Ｃ−ＧＡＬＦ１は８ビットの同期合わせ用の信号である。
【００３９】
リモート側は、Ｃ−ＧＡＬＦ１を受信して８ビットの同期合わせを行い、インデックス＃７，９のキャリアを用いてＲ−ＦＬＡＧ１をアップストリームに送出する。Ｒ−ＦＬＡＧ１は８ビットの同期合わせ用の信号である。
【００４０】
センター側は、Ｒ−ＦＬＡＧ１を受信して８ビットの同期合わせを行い、インデックス＃１２，１４，６４のキャリアを用いてＣ−ＦＬＡＧ１をダウンストリームに送出する。Ｃ−ＦＬＡＧ１は８ビットの同期合わせ用の信号である。
【００４１】
リモート側は、Ｃ−ＦＬＡＧ１を受信すると、次にメーカーコードの送受信、機能情報の送受信と手順を進めていく。
【００４２】
図３（ｂ）はセンター側から起動を掛ける場合のスタートアップ手順を示すシーケンス図である。初めに、センター側がリモート側に対してＣ−ＴＯＮＥＳを送信し、リモート側がＲ−ＴＯＮＥ１を返してきたら、上記同様の手順に入っていく。
【００４３】
以上のようなスタートアップ手順において、リモート側及びセンター側は、自分が信号を送信してから応答信号が受信されるまでの時間を管理していて、規定時間以内に応答が無い場合（タイムアウト）はエラーとなって初めから手順をやり直すことになる。具体的には、τ１、τ２がそれぞれ５０ｍｓ未満、５０ｍｓ以上５００ｍｓ未満に設定されていて、上記規定時間以内に応答が無い場合は、「接続不能」と判断する。
【００４４】
本実施の形態では、「接続不能」と判断したらダウンストリームに使用するキャリアのインデックス番号を変更し、それでもエラーが発生したら送信キャリアのゲインアップを行うようにしている。
【００４５】
図４は、リモート側及びセンター側のハンドシェイク手順におけるフロー図である。リモート側及びセンター側では、夫々のＡＤＳＬモデム装置のＲＡＭ３３上に、ハンドシェイク手順においてダウンストリームで使用するキャリアにフラグが立てれらキャリアテーブルが準備されている。図５（ａ）はセンター側ＡＤＳＬモデム装置にセットされたキャリアテーブルを示し、図６（ａ）はリモート側ＡＤＳＬモデム装置２にセットされたキャリアテーブルを示している。同図に示すように、初期のキャリアテーブルは両者ともＧ．ｈｓでダウンストリームの使用キャリアとして定められたインデックス＃１２，１４，６４にフラグが立てられている。本例では、インデックス＃１２，１４，６４のキャリアが、予め通信規格で定められた指定キャリアである。
【００４６】
図４に示すように、センター側のＡＤＳＬモデム装置は、図５（ａ）のキャリアテーブルにしたがってインデックス＃１２，１４，６４のキャリアを使用してハンドシェイク手順に規定されている信号（例えば、Ｃ−ＴＯＮＥＳ）を送信する（ステップＳ１００）。このとき、プロセッサは送信手段として機能する。
【００４７】
一方、リモート側のＡＤＳＬモデム装置２は、レシーバ１７で回線からの信号を受信する。ＡＦＥ１３でサンプリングしたサンプリングデータは、ＦＦＴ部２７によるフーリエ変換によりキャリア毎にコンステレーションデータに変換される。プロセッサ２０はそのＦＦＴ出力を取り込んで、図６（ａ）のキャリアテーブルにしたがってダウンストリームの信号からインデックス＃１２，１４，６４のキャリアについてのコンステレーションデータをモニタする（ステップＳ２００）。このとき、プロセッサ２０は受信手段として機能する。
【００４８】
センター側のＡＤＳＬモデム装置とリモート側のＡＤＳＬモデム装置２との距離が十分に近い場合、又はノイズの影響が小さいときは、インデックス＃１２，１４，６４のキャリアは正常にリモート側まで到達する。しかし、センター側のＡＤＳＬモデム装置とリモート側のＡＤＳＬモデム装置２との距離が遠距離の場合、又はノイズの影響が大のときは、インデックス＃１２，１４，６４のキャリアは正しくリモート側のＡＤＳＬモデム装置２へ到達しない。
【００４９】
図３（ａ）（ｂ）に示すように、リモート側のＡＤＳＬモデム装置２は、センター側のＡＤＳＬモデム装置からの信号を待つタイミングで、規定時間τ１、τ２経過してもインデックス＃１２，１４，６４のキャリアについて信号検出できない場合は「接続不能」と判断する（ステップＳ２０１）。また、信号検出できない場合のみならず、シンボルパターンが本来のパターンと異なるケース、位相反転が本来の反転順序と異なるケース等の期待している信号と異なる場合も「接続不能」と判断するものとする。
【００５０】
リモート側のＡＤＳＬモデム装置２は、ステップＳ２０１の処理で接続ＯＫと判断した場合は、Ｇ．ｈｓの手順にしたがって次の処理を実行する。すなわち、図３に示すように所定時間内に手順に定められた信号をインデックス＃７，９のキャリアを使用して送信する。
【００５１】
リモート側のＡＤＳＬモデム装置２は、ステップＳ２０１の処理で接続不能と判断した場合は、Ｇ．ｈｓの手順に定められた信号を送信する事ができない。このときは、図６（ａ）に示すキャリアテーブルを、図６（ｂ）に示すキャリアテーブルに書き換える。すなわち、モニタ対象のダウンストリームの信号として、インデックス＃１２，１４，６４のキャリアに加えて、インデックス＃３２，３４のキャリアを追加する（ステップＳ２０２）。
【００５２】
センター側のＡＤＳＬモデム装置は、ステップＳ１００でＧ．ｈｓの手順に定められた信号を送信したら、アップストリームに使用しているインデックス＃７，９のキャリアをモニタして、リモート側のＡＤＳＬモデム装置２と接続されたか否か判断する（ステップＳ１０１）。ステップＳ１００で信号送信してからＧ．ｈｓで定められている規定時間経過してもリモート側のＡＤＳＬモデム装置２からの信号（＃７，９）を検出できないということは、ステップＳ１００で送信した信号が正常にリモート側のＡＤＳＬモデム装置２に到達しなかったことを意味する。
【００５３】
ステップＳ１０１でリモート側のＡＤＳＬモデム装置２と正常接続できなかったと判断した場合は、図５（ａ）に示すキャリアテーブルを図５（ｂ）に示すキャリアテーブルに書き換える（ステップＳ１０２）。すなわち、ダウンストリームに使用するキャリアをインデックス＃３２，３４，６４に変更する。これにより、双方の距離が遠距離になるとアップストリーム側のキャリア（＃７，９）の影響を大きく受けるキャリア（＃１２，１４）が、インデックス＃７，９のキャリアから十分に離れた代替キャリアとなるインデックス＃３２，３４のキャリアへ変更される。
【００５４】
センター側のＡＤＳＬモデム装置は、インデックス＃７，９のキャリアから離したインデックス＃３２，３４のキャリア及びインデックス＃６４のキャリアを用いて信号を再送信する（ステップＳ１０３）。このとき、センター側のＡＤＳＬモデム装置のプロセッサは再送信手段として機能する。
【００５５】
リモート側のＡＤＳＬモデム装置２は、ステップＳ２０２で変更したキャリアテーブル（図６（ｂ））を参照してダウンストリームの信号をモニタする（ステップＳ２０３）。すなわち、１回目の受信で正常受信できなかった場合には、センター側のＡＤＳＬモデム装置が低周波側キャリアを代替キャリアに変更してくるので、その変更後のキャリア（＃３２，３４）と元のキャリア（＃１２，１４，６４）とを同時にチェックする。
【００５６】
図７はリモート側のＡＤＳＬモデム装置２での受信スペクトラムを示しており、ダウンストリームの使用キャリアをインデックス＃７，９のキャリアからインデックス＃３２，３４へ変更した場合のスペクトラムを模式的に示したものである。同図に示すように、ダウンストリームの使用キャリアをインデックス＃１２，１４のキャリアからインデックス＃３２，３４へ変更することにより、ダウンストリームのキャリア（＃３２，３４，６４）はインデックス＃７，９のキャリアによるスカート現象の影響を受けない帯域までシフトして、リモート側のＡＤＳＬモデム装置２で正常受信可能になることが分かる。
【００５７】
このように、Ｇ．ｈｓに定められたインデックス＃１２，１４の信号送信では接続できなかったときには、センター側ではインデックス＃１２，１４，６４のキャリアからインデックス＃３２，３４，６４へ変更し、リモート側ではインデックス＃１２，１４，３２，３４，６４のキャリアに拡大してモニタするので、インデックス＃７，９のキャリアによるスカート現象の影響を回避でき、ダウンストリームのキャリアが確実にリモート側へ到達させることができる。
【００５８】
また、リモート側ではインデックス＃１２，１４，３２，３４，６４のキャリアに拡大してモニタするので、センター側が再びインデックス＃１２，１４，６４のキャリアを使用して信号を送信した場合にも対応することができる。キャリアシフト機能を持たないセンター側のＡＤＳＬモデム装置がインデックス＃１２，１４，６４のキャリアを使用してリトライして来ることが予想され、通信状況によっては信号がリモート側へ到達するので、このような場合にエラーとならずに手順を実行することができる。メーカーコードや機能情報の交換前にあっては、リモート側のＡＤＳＬモデム装置２はセンター側のＡＤＳＬモデム装置がどのようなキャリアシフト機能を搭載しているか否か判定しないので、メーカーコードや機能情報を交換前にキャリアの拡大を行うことが望ましい。
【００５９】
リモート側のＡＤＳＬモデム装置２は、ダウンストリームの使用キャリアが変更されたことによりインデックス＃３２，３４，６４のキャリアを正常受信した場合は（ステップＳ２０４）、Ｇ．ｈｓに定められた信号を送信する。
【００６０】
一方、インデックス＃３２，３４，６４のキャリアを正常受信できなかった場合は、Ｇ．ｈｓに定められた信号を送信することなく、センター側のＡＤＳＬモデム装置が信号を送信して来るのを待機する。なお、図示していないが、所定時間経過しても適正な信号を正常受信しない場合にはエラー終了する。
【００６１】
センター側のＡＤＳＬモデム装置は、ステップＳ１０３で送信した信号に対して所定時間内にリモート側のＡＤＳＬモデム装置２から手順通りの信号が送信されてこなかった場合（ステップＳ１０４）、ダウンストリームの使用キャリア（インデックス＃１２，１４，３２，３４，６４）のゲインをアップする（ステップＳ１０５）。図２を参照してゲインアップについて説明する。プロセッサ２０は、ＡＦＥ１３に対してダウンストリームに送出する信号レベルを所定量アップさせるように指示を出す。ＡＦＥ１３はゲイン制御機能を備えていて、プロセッサ２０から指示を受けてダウンストリームの信号のゲインアップ処理を実行する。なお、ドライバ１５でゲイン制御をするように構成してもよい。
【００６２】
この結果、ステップＳ１０３で送信されるインデックス＃１２，１４，３２，３４，６４の信号ゲインがゲインアップされる。リモート側のＡＤＳＬモデム装置２では、ステップＳ２０３でインデックス＃１２，１４，３２，３４，６４のキャリアをチェックしたとき、インデックス＃３２，３４，６４のキャリアの信号レベルが上がるので、信号減衰によりノイズに埋もれている信号を検出可能となる。
【００６３】
このように、ダウンストリームのキャリアがリモート側へ到達しないとセンター側で判断したときに、ダウンストリームのキャリアをゲインアップするようにしたので、信号減衰によるエラーの発生を抑え、遠距離化を図ることができる。しかも、本実施の形態では、キャリアシフトをやってもなお信号が到達しない場合に限ってキャリアをゲインアップするようにしたので、できる限り周囲の回線への影響を回避することができる。
【００６４】
センター側のＡＤＳＬモデム装置は、ステップＳ１０４で接続ＯＫと判断したら、次にＧ．ｈｓで定められている信号の送受信を行う。たとえば、メーカーコードの送受信を行い（ステップＳ１０６）、機能情報の送受信を行う（ステップＳ１０７）。
【００６５】
また、リモート側のＡＤＳＬモデム装置２は、ステップＳ１０４で通常の値を受信したら、次にＧ．ｈｓで定められている信号の送受信を行う。たとえば、メーカーコードの送受信を行い（ステップＳ２０５）、機能情報の送受信を行う（ステップＳ２０６）。
【００６６】
以上のようにして、Ｇ．ｈｓに基づいたハンドシェイク手順が終了したら、ハンドシェイク手順で決定したイニシャライズ手順を実行し、ショータイムを実行する。
【００６７】
なお、以上の説明ではステップＳ１０２、Ｓ２０２でのキャリアシフト、モニタキャリアの拡大で、インデックス＃１２，１４からインデックス＃３２，３４へのシフト、又は拡大について例示したが、アップストリームの信号から受ける干渉を軽減できる周波数域のキャリアであればインデックス＃３２，３４以外であっても使用することができる。代替キャリアとしては、インデックス＃１５からインデックス＃４０以下の範囲が望ましい。代替キャリアの下限をインデックス＃１５以上のキャリアとしたのはインデックス＃１４のキャリアよりも高周波側であれば、アップストリームの信号から受ける影響がインデックス＃１４のキャリアよりも小さくなるからである。また、代替キャリアの上限をインデックス＃４０としたのは、信号の減衰が大きくなる限界点であり、インデックス＃４０以上のキャリアインデックスを使用すると、信号の減衰量が大きくなるために通信が困難になる。望ましくは、インデックス＃３４，３５近傍までのキャリアインデックスを使用することが望ましい。図７に示すように、信号の減衰量はインデックス＃３４，３５あたりを境にさらに減衰している。よって、インデックス＃３４，３５あたりを境界とすることが望ましい。
【００６８】
また、以上の説明ではリモート側のＡＤＳＬモデム装置２は、ステップＳ２０２でモニタキャリアを拡大しているが、センター側でシフト予定の代替キャリア（本例では＃３２、＃３４）及び＃６４だけをモニタするように構成してもよい。この場合、リモート側のＡＤＳＬモデム装置２における受信側のアナログフィルタ１７を以下のように制御させることが望ましい。
【００６９】
すなわち、図４のステップＳ２０２でモニタキャリアとして、インデックス＃３２、３４の代替キャリア及びインデックス＃６４の指定キャリアを設定し、ステップＳ２０３ではインデックス＃３２、３４の代替キャリア及びインデックス＃６４のキャリアをモニタする。
【００７０】
ステップＳ２０２でモニタキャリアをシフトしたときは、アナログフィルタ１７には、インデックス＃７，９からでるノイズを除去するのに適したフィルター特性を設定する。具体的には、アップストリームの信号であるインデックス＃７，９のキャリアからダウンストリーム側に回り込む信号が影響を与える範囲（スカート現象による影響を受ける範囲）の信号成分をカットするように設定する。インデックス＃３２、３４の代替キャリア及びインデックス＃６４のキャリアは、アナログフィルタ１７に設定されたカット周波数から十分に離れているので、アナログフィルタ１７を通過して取り込まれる。一方、インデックス＃７，９のキャリア近傍の信号成分をカットされるので、ノイズを除去した信号が取り込まれることとなり信号の信頼性を改善することができる。なお、ステップＳ２０２でモニタキャリアをシフトしたときにだけフィルターを機能させるのではなく、インデックス＃１２未満の信号成分を除去する特性のフィルターを用意して、ダウンストリームの信号は常にこのフィルターに通すように構成することも可能である。
【００７１】
また、以上の説明では図４のステップＳ１０１（センター側）、ステップＳ２０１（リモート側）で接続不能と判定した場合に、送信キャリア、モニタキャリアをシフトしているが、接続不能と判定した場合を前提条件とすることなく、センター側は最初からインデックス＃１５以上＃４０以下のキャリアを使用して信号を送信し、リモート側もインデックス＃１５以上＃４０以下のキャリアをモニタするように構成することもできる。
【００７２】
【発明の効果】
以上詳記したように本発明によれば、アップストリーム信号のスカート現象によるダウンストリーム信号への干渉を低減し、遠距離通信を可能にするＡＤＳＬモデム装置及びその通信方法を提供できる。
【図面の簡単な説明】
【図１】本発明の実施の形態に係るリモート側通信システムの構成図
【図２】図１に示すトランシーバの機能ブロック図
【図３】（ａ）リモート側から起動する場合のスタートアップ手順を示す図
（ｂ）センター側から起動する場合のスタートアップ手順を示す図
【図４】上記実施の形態でのセンター側とリモート側のハンドシェイク手順におけるフロー図
【図５】（ａ）センター側でハンドシェイク手順において初期使用するキャリアを示すキャリアテーブルを示す図
（ｂ）センター側でハンドシェイク手順において変更後に使用するキャリアを示すキャリアテーブルを示す図
【図６】（ａ）リモート側でハンドシェイク手順においてモニタするキャリアを示すキャリアテーブルを示す図
（ｂ）リモート側でハンドシェイク手順において変更後にモニタするキャリアを示すキャリアテーブルを示す図
【図７】上記実施の形態においてリモート側での受信スペクトラムとキャリアシフトの状況を示す図
【図８】Ｇ．ｈｓにおけるスペクトラムとＩＳＤＮ信号との関係を示す図
【図９】ハンドシェイク手順においてダウンストリームの信号がアップストリームの信号の影響を受けた状態を示す図
【符号の説明】
１　スプリッタ
２　ＡＤＳＬモデム装置
３　ユーザ端末
４　電話機
１１　トランシーバ
１２　ホスト
１３　ＡＦＥ
１４、１８　アナログフィルタ
１５　ドライバ
１６　ハイブリッド
１７　レシーバ
２０　プロセッサ
２１　リードソロモン符号化部
２２　インターリーブ部
２３　トレリス符号化部
２４　トーンオーダリング部
２５　コンステレーション符号化部
２６　ＩＦＦＴ部
２７　ＦＦＴ部
２８　コンステレーション復号化／ＦＥＱ部
２９　トーンデオーダリング部
３０　ビタビ復号化部
３１　デインターリーブ部
３２　リードソロモン復号化部
【図１】
2004072267.tif 000003
【図２】
2004072267.tif 000004
【図３】
2004072267.tif 000005
【図４】
2004072267.tif 000006
【図５】
2004072267.tif 000007
【図６】
2004072267.tif 000008
【図７】
2004072267.tif 000009
【図８】
2004072267.tif 000010
【図９】
2004072267.tif 000011